(57)【要約】【課題】  インクジェット式記録装置の状態を使用者に報知する複数の報知手段の複数の報知様態を、外部からの入力に応じてまとめて変更するインクジェット式記録装置を提供する。【解決手段】  インクジェット式記録装置の電源が立上ると、ディスプレイに「使用環境を選択して下さい」というメッセージと、「工場」、「オフィス」、「遊園地（屋内）」等の使用環境が表示される（Ｓ１）。使用者が操作パネルのボタン操作により使用環境を選択すると（Ｓ２：ＹＥＳ）、使用環境テーブルから選択仕様環境の設定値が読み出され、バックライトが使用であれば（Ｓ４：ＹＥＳ）、バックライトが点灯されて（Ｓ５）、ＬＥＤの輝度、スピーカー５２のボリューム、サウンドの種類が、Ｓ３で読み出された設定の内容に変更される（Ｓ７，８，９）。【選択図】  図９
2005103940.tif 000002
【特許請求の範囲】
【請求項１】
被印刷媒体の表面に対しインクを吐出するインクジェットヘッドと、
被印刷媒体をセット可能な作業面を有するプラテンとを備え、
前記インクジェットヘッドと前記プラテンとが所定の距離を維持しながら相対的に移動し、前記インクジェットヘッドからインクを吐出することにより、前記プラテンの作業面にセットされた被印刷媒体の表面に所望の画像を印刷するインクジェット式記録装置において、
プリンタの状態を使用者に報知する複数の報知手段と、
当該報知手段の報知様態を変更する変更手段と、
外部からの入力に応じて、複数の前記報知様態を前記変更手段によりまとめて変更する変更制御手段と
を備えたことを特徴とするインクジェット式記録装置。
【請求項２】
当該インクジェット式記録装置の使用者からの指示を入力する指示入力手段を備え、
前記外部からの入力は、前記指示入力手段により入力された指示であることを特徴とする請求項１に記載のインクジェット式記録装置。
【請求項３】
当該インクジェット式記録装置の周囲の音量を計測する音量計測手段を備え、
前記外部からの入力は、前記音量計測手段により計測された音量であることを特徴とする請求項１又は２に記載のインクジェット式記録装置。
【請求項４】
当該インクジェット式記録装置の周囲の明るさを計測する明るさ計測手段を備え、
前記外部からの入力は、前記明るさ計測手段により計測された明るさであることを特徴とする請求項１又は２に記載のインクジェット式記録装置。
【請求項５】
前記報知手段は、ランプ、表示画面及びスピーカのいずれかであって、
前記報知様態は、ランプの点灯の明るさ、表示画面の明るさ、スピーカーから発生させる音の音量、スピーカーから発生させる音の音質、又は、スピーカーから発生させる音若しくは音楽の種類のうちの少なくとも２つであることを特徴とする請求項１乃至４のいずれかに記載のインクジェット式記録装置。
【発明の詳細な説明】
【技術分野】
【０００１】
本発明は、インクジェット式記録装置に関するものであり、詳細には、インクジェット式記録装置の状態を使用者に報知する複数の報知手段の複数の報知様態を、外部からの入力に応じてまとめて変更するインクジェット式記録装置に関する。
【背景技術】
【０００２】
従来のプリンタ等の記録装置は、オフィスや教室、家庭内などの室内に設置し、一定の環境においてのみ使用されることが多かった。ディスプレイやＬＥＤの明るさや発音装置の音量や音色等の報知様態を変更可能なものもあるが（例えば、特許文献１参照）、一定の環境においてのみ使用される場合には、設置時に１度設定をすればよかった。また、周囲の騒音レベルが変わる場合であっても、周囲の騒音レベルを検知し、自動的に音量を設定するものもあった（例えば、特許文献２参照）。
【０００３】
また、特許文献３に記載されているようなインクジェット式印刷装置が知られている。このインクジェット式印刷装置は、装置の前後方向に往復移動可能な平板状のプラテンを備え、被印刷媒体としてＴシャツが装置の前側からプラテンにセットされる。そして、プラテンを移動させることにより印刷位置をずらして、Ｔシャツにインクジェットヘッドで印刷が行われる。尚、印刷後はＴシャツは装置の前側から取り出される構成となっている。
【特許文献１】特開平５−１３８９８９号公報
【特許文献２】特開２００１−１４２６７６号公報
【特許文献３】米国特許第６，０９５，６２８号公報
【発明の開示】
【発明が解決しようとする課題】
【０００４】
しかしながら、特許文献３に記載されているようなインクジェット式印刷装置は、必ずしも一定の環境においてのみ使用されるわけではない。例えば、インクジェット式布帛印刷装置を遊園地や観光地、市街地等の人が多く集まる屋外に設置したり、ショッピングセンターやイベント会場を巡回したりして、顧客からの依頼に応じてＴシャツ等の衣服やハンカチ等の布帛に印刷を行う場合には、周囲の天候、時刻、周辺状況によって、使用環境は大きく変化する。したがって、インクジェット式印刷装置を設置する度に、その環境に合わせてディスプレイやＬＥＤの明るさや発音装置の音量や音色等の報知様態をそれぞれ変更しなければならないという問題点があった。
【０００５】
本発明は上述の問題点を解決するためになされたものであり、インクジェット式記録装置の状態を使用者に報知する複数の報知手段の複数の報知様態を、外部からの入力に応じてまとめて変更するインクジェット式記録装置を提供することである。
【課題を解決するための手段】
【０００６】
上記課題を解決するため、請求項１に係る発明のインクジェット式記録装置では、被印刷媒体の表面に対しインクを吐出するインクジェットヘッドと、被印刷媒体をセット可能な作業面を有するプラテンとを備え、前記インクジェットヘッドと前記プラテンとが所定の距離を維持しながら相対的に移動し、前記インクジェットヘッドからインクを吐出することにより、前記プラテンの作業面にセットされた被印刷媒体の表面に所望の画像を印刷するインクジェット式記録装置において、プリンタの状態を使用者に報知する複数の報知手段と、当該報知手段の報知様態を変更する変更手段と、外部からの入力に応じて、複数の前記報知様態を前記変更手段によりまとめて変更する変更制御手段とを備えている。
【０００７】
また、請求項２に係る発明のインクジェット式記録装置では、請求項１に記載の発明の構成に加えて、当該インクジェット式記録装置の使用者からの指示を入力する指示入力手段を備え、前記外部からの入力は、前記指示入力手段により入力された指示であることを特徴とする構成となっている。
【０００８】
また、請求項３に係る発明のインクジェット式記録装置では、請求項１又は２に記載の発明の構成に加えて、当該インクジェット式記録装置の周囲の音量を計測する音量計測手段を備え、前記外部からの入力は、前記音量計測手段により計測された音量であることを特徴とする構成となっている。
【０００９】
また、請求項４に係る発明のインクジェット式記録装置では、請求項１又は２に記載の発明の構成に加えて、当該インクジェット式記録装置の周囲の明るさを計測する明るさ計測手段を備え、前記外部からの入力は、前記明るさ計測手段により計測された明るさであることを特徴とする構成となっている。
【００１０】
また、請求項５に係る発明のインクジェット式記録装置では、請求項１乃至４のいずれかに記載の発明の構成に加えて、前記報知手段は、ランプ、表示画面及びスピーカのいずれかであって、前記報知様態は、ランプの点灯の明るさ、表示画面の明るさ、スピーカーから発生させる音の音量、スピーカーから発生させる音の音質、又は、スピーカーから発生させる音若しくは音楽の種類のうちの少なくとも２つであることを特徴とする構成となっている。
【発明の効果】
【００１１】
請求項１に係る発明のインクジェット式記録装置において、複数の報知手段でプリンタの状態を使用者に報知することができる。そして、変更手段は、報知手段の報知様態を変更し、変更制御手段は、外部からの入力に応じて、複数の報知様態を変更手段によりまとめて変更することができる。したがって、１度の入力で複数の報知様態をまとめて変更することができるので、報知様態の種類が多数ある場合には変更が簡単にできて便利である。
【００１２】
また、請求項２に係る発明のインクジェット式記録装置では、請求項１に記載の発明の効果に加えて、指示入力手段は、インクジェット式記録装置の使用者からの指示を入力することができ、外部からの入力は、指示入力手段により入力された指示とすることができる。したがって、指示入力手段により操作者が変更の指示を行うことができるので、操作者が変更したいときに変更することができる。
【００１３】
また、請求項３に係る発明のインクジェット式記録装置では、請求項１又は２に記載の発明の効果に加えて、音量計測手段は、インクジェット式記録装置の周囲の音量を計測することができ、外部からの入力は、音量計測手段により計測された音量とすることができる。したがって、インクジェット式記録装置の周囲の騒音レベルにしたがって報知様態をまとめて変更することができるので、騒音レベルにより、インクジェット式記録装置の音に関する報知手段のボリュームを変更したり、音の種類を変更したりすることができる。
【００１４】
また、請求項４に係る発明のインクジェット式記録装置では、請求項１又は２に記載の発明の効果に加えて、明るさ計測手段は、インクジェット式記録装置の周囲の明るさを計測することができ、外部からの入力は、明るさ計測手段により計測された明るさとすることができる。したがって、インクジェット式記録装置の周囲の明るさにしたがって報知様態をまとめて変更することができるので、明るさにより、インクジェット式記録装置のランプや表示画面等の明るさに関する報知手段の報知様態を変更することができる。
【００１５】
また、請求項５に係る発明のインクジェット式記録装置では、請求項１乃至４のいずれかに記載の発明の効果に加えて、報知手段は、ランプ、表示画面及びスピーカのいずれかであって、報知様態は、ランプの点灯の明るさ、表示画面の明るさ、スピーカーから発生させる音の音量、スピーカーから発生させる音の音質、又は、スピーカーから発生させる音若しくは音楽の種類のうちの少なくとも２つを用いることができるので、ランプの点灯の明るさ、表示画面の明るさ、スピーカーから発生させる音の音量、スピーカーから発生させる音の音質、又は、スピーカーから発生させる音若しくは音楽の種類のうちの少なくとも２つの報知様態をまとめて変更することができる。
【発明を実施するための最良の形態】
【００１６】
以下、本発明の実施の形態について、手動で報知様態の変更を行う場合（第１の実施の形態）と、自動で報知様態の変更を行う場合（第２の実施の形態）の２種類の実施の形態で、図面を参照して説明する。
【００１７】
まず、第１の実施の形態のインクジェット式記録装置１の構造について説明する。図１は、インクジェット式記録装置１の全体的な構成を示した正面図であり、図２は、同じく側面図である。尚、図１における紙面表方向、図２における紙面左方向が、インクジェット式記録装置１の前方向となり、図１における紙面上方向、図２における紙面上方向がインクジェット式記録装置１の上方向となる。
【００１８】
図１に示すように、インクジェット式記録装置１はインクジェット式記録装置１の底部に位置する水平部２ｖと、水平部２ｖの正面視両端から垂直に立ち上がる垂直部２ｈからなるフレーム２を有している。そして、左右の垂直部２ｈの上部同士を連結するように、ガイドレール４が水平に架設されている。このガイドレール４は、キャリッジ５の移動をガイドレール４の長手方向に案内するためのものである。このガイドレール４の左端付近にはキャリッジモータ７が設けられており、右端付近にはプーリ８が設けられており、キャリッジベルト９が、ガイドレール４よりも下方の位置にて、キャリッジモータ７とプーリ８との間に架設されている。キャリッジベルト９はキャリッジ５の背面に固定されており、キャリッジモータ７の駆動によってガイドレール４の長手方向（図１における左右方向）に往復移動される。
【００１９】
また、フレーム２には、ケーシング３が個設されており、インクジェット式記録装置１の内部を覆い、保護しているが、図１においては、ケーシング３の内部を詳細に示すために、ケーシング３を鎖線で描いて透視的に図示している。尚、ケーシング３の図１における正面視右側上部には、インクジェット式記録装置１の操作を行うための操作パネル４０が設けられている。
【００２０】
また、キャリッジ５は、略直方体形状を有し、その底面に圧電式の４つのインクジェットヘッド６を搭載している。４つのインクジェットヘッド６は、例えばシアン、マゼンタ、イエロー、ブラックの４色のカラーインクのそれぞれに対応して設けられており、各インクを噴射するための、例えば１２８個のチャンネル（図示外）をそれぞれ備えている。そして、各チャンネルには、各々個別に駆動される圧電アクチュエータ（図示外）が設けられており、各チャンネルに対応してインクジェットヘッド６の底面に孔設された微細な噴射ノズル（図示外）から下向きに、インクの液滴が噴射されるように制御される。
【００２１】
そして、インクジェット式記録装置１の左右の側面には、各インクを収容したインクカートリッジ１１を着脱可能に収容するためのカートリッジ収容部１２がそれぞれ設けられている。各カートリッジ収容部１２は、インクカートリッジ１１をそれぞれ２つずつ装着できるようになっている。そして、各インクカートリッジ１１と、各インクジェットヘッド６とはチューブ（図示外）によってそれぞれ接続され、各チャンネルにインクが供給されるようになっている。
【００２２】
また、キャリッジ５ガイドレール４の右端に移動した位置には、各インクジェットヘッド６のノズル面に対して密着・離脱が可能な吸引キャップ１３を有するパージユニット１４が設けられている。パージユニット１４には吸引ポンプ（図示外）が設けられており、各吸引キャップ１３がインクジェットヘッド６に密着しているときに、吸引キャップ１３を介してインクの吸引を行うことが可能となっている。また、印刷が行われないときには吸引キャップ１３でインクジェットヘッド６のノズル面が覆われ、インクの乾燥が防止されている。
【００２３】
また、図１及び図２に示すように、水平部２ｖの上にプラテン駆動機構１０が設置されている。水平部２ｖ上の前方には２つの基部３５が水平部２ｖから垂直方向に立上っており、水平部２ｖの後方にも２つの基部３６が水平部２ｖから垂直方向に立上っている。そして、４つの基部３５，３６を頂点とした略長方形が形成されている。そして、各基部３５の上部にはそれぞれプーリ２８が設けられており、各基部３６の上部にもそれぞれプーリ２９が設けられている。そして、左側のプーリ２８と左側のプーリ２９とに無端ベルト２７が架設されており、右側のプーリ２８と右側のプーリ２９とにも無端ベルト２７が架設されている。そして、２本の無端ベルト２７の上方にはそれぞれ２本のプラテン用レール２６が設けられている。そして、プラテン用レール２６及び無端ベルト２７には、固定部材２４によって略長方形の板状のスライド基部２３が固定されており、スライド基部２３からは支柱２１が立上り、プラテン２０を支えている。そして、後方のプーリ２９にはプラテンモータ２５が設けられており、このプラテンモータ２５が駆動することにより、固定部材２４がプラテン用レール２６に沿って、インクジェット式記録装置１の前後方向に移動する。
【００２４】
そして、支柱２１は、プラテン受板２１ａ、受板接続部２１ｂと支柱基部２１ｃで構成されている。支柱基部２１ｃは、スライド基部２３の略中央からスライド基部２３の垂直方向に立上り、インクジェット式記録装置１の前上方向約４５°に傾斜し、さらにインクジェット式記録装置１の前方向約４５°に傾斜している（スライド基部２３と平行）。そして、スライド基部２３と平行になっている支柱基部２１ｃの端からは、支柱基部２１ｃの断面よりも一回り小さい断面で、Ｌ字型の受板接続部２１ｂがスライド基部２３と平行方向に延設され、途中垂直方向（インクジェット式記録装置１の上方向）に立ち上がり、その上部に略長方形の板状のプラテン受板２１ａが設けられている。そしてプラテン受板２１ａの上面にプラテン２０が設置されている。
【００２５】
次に、図３を参照して、インクジェット式記録装置１の設定や印刷開始の指示等を行う操作パネル４０について説明する。図３は、第１の実施の形態での操作パネル４０の平面図である。図３に示すように、操作パネル４０の上部には電源ＬＥＤ４３、エラーＬＥＤ４４、データＬＥＤ４５が設けられており、その下にはディスプレイ４１が設けられており、その下には、左矢印ボタン５０、選択ボタン４９、右矢印ボタン５１、環境設定ボタン４８が設けられている。そして、左矢印ボタン５０の下には印刷ボタン４６、右矢印ボタン５１の下には中止ボタン４７が設けられており、その右にはスピーカー５２が設けられている。
【００２６】
電源ＬＥＤ４３は、インクジェット式記録装置１に電源が投入されている場合には点灯し、電源が投入されていない場合には消灯している。エラーＬＥＤ４４は、インクジェット式記録装置１にエラーが発生している場合に点灯し、通常は消灯している。データＬＥＤ４５は、ＰＣから送信されたデータを受信中に点滅し、データ受信後は点灯し、データ受信されていない場合には消灯している。また、ディスプレイ４１にはインクジェット式記録装置１の状態を示すメッセージ（例えば「データ受信中です」、「印刷中です」、「インク切れです」など）や、使用者への指示メッセージ（「データ受信完了しました、印刷ボタンを押してください。」、「受信データ：ＰＨＯＴＯ−００２５」など）が表示される。また、印刷ボタン４６が押下されると、ＰＣから受信したデータの印刷が開始される。そして、中止ボタン４７が押下されると、印刷が中止される。また、スピーカー５２は、インクジェット式記録装置１からのメッセージやアラームブザー音等の音声が出力される。
【００２７】
また、左矢印ボタン５０及び右矢印ボタン５１は、ディスプレイ４１に表示されているメニューや項目を選択するためにカーソルを移動させる際に使用される。そして、選択ボタン４９が押下されると、ディスプレイ４１でカーソルが選択しているメニューや項目が確定される。そして、環境設定ボタン４８が押下されると、使用環境設定プログラムが開始され、ディスプレイ４１に使用環境選択の画面が表示される。図３のディスプレイ４１に表示されている画面はそのイメージ図である。図３に示す例では、１行目に「使用環境を選択して下さい」と操作を指示するメッセージが表示されており、２行目に「［工場］［オフィス］［遊園地（屋内）］［」と表示されており、使用環境を一覧から選択できるようになっている。ここでは、［工場］が選択されて反転表示になっている。尚、ここでは、左矢印ボタン５０又は右矢印ボタン５１を押下することにより、選択している使用環境を変更することができる。そして、選択ボタン４９を押下することにより選択を確定させることができる。
【００２８】
次に、図４乃至図６を参照して、第１の実施の形態のインクジェット式記録装置１の電気的構成について説明する。図４は、第１の実施の形態でのインクジェット式記録装置１のブロック図である。図５は、ＲＯＭ８２の記憶エリアを示す概念図である。図６は、第１の実施の形態でのＲＡＭ８３の記憶エリアを示す概念図である。
【００２９】
次に、図４を参照して、第１の実施の形態のインクジェット式記録装置１の構成について説明する。図４に示すように、インクジェット式記録装置１の制御部８０には、インクジェット式記録装置１全体の制御を司るＣＰＵ８１が設けられ、ＣＰＵ８１には、バス８６を介して、ＣＰＵ８１が実行する各種の制御プログラム等を記憶したＲＯＭ８２と、データを一時的に記憶するＲＡＭ８３とが接続されている。また、ＣＰＵ８１には、インクジェットヘッド６の各チャンネルに設けられた圧電アクチュエータを駆動させるためのヘッド駆動部８４と、キャリッジモータ７やプラテンモータ２５を駆動させるためのモータ駆動部８５とがバス８６を介して接続されている。
【００３０】
さらに、ＣＰＵ８１には、操作パネル４０に設けられているディスプレイ４１、ディスプレイ４１の背面から光を照らすバックライト４２、電源ＬＥＤ４３、エラーＬＥＤ４４、データＬＥＤ４５の表示制御を行う表示制御部８７と、印刷ボタン４６、中止ボタン４７、環境設定ボタン４８、選択ボタン４９、左矢印ボタン５０、右矢印ボタン５１との入力を受け付ける入力検知部８８と、スピーカー５２の音声出力を制御する音声制御部８９と、インクジェット式記録装置１の上位装置であるＰＣ９１に接続するための通信制御部９０とがバス８６を介して接続している。
【００３１】
次に、図５に示すように、ＲＯＭ８２には、プログラムの実行開始時に設定される初期値等が記憶された初期設定記憶エリア８２１と、インクジェット式記録装置１の制御を行う種々のプログラムが記憶されたプログラム記憶エリア８２２と、使用環境毎の各種設定値を記憶した使用環境テーブルを記憶する使用環境テーブル記憶エリア８２３とが設けられている。さらに、ＲＯＭ８２には、図示外の各種記憶エリアが設けられている。
【００３２】
次に、図６に示すように、ＲＡＭ８３には、ＰＣ９１から受信した印刷データを記憶する印刷データ記憶エリア８３１と、現在の使用環境の各種設定値を記憶した使用環境記憶エリア８３２とが設けられている。尚、使用環境記憶エリア８３２には、本実施の形態で設定されるバックライトの有無、電源ＬＥＤ４３，エラーＬＥＤ４４，データＬＥＤ４５の輝度、スピーカー５２のボリューム、スピーカー５２のサウンドの種類が記憶されている。また、ＲＡＭ８３には、図示外の各種記憶エリアが設けられている。
【００３３】
次いで、図７のフローチャートを参照して、インクジェット式記録装置１で印刷を行う手順を説明する。図７は、印刷手順のフローチャートである。まず、使用者は、ＰＣ９１から印刷データを送信する（Ｓ２１）。そして、印刷データを印刷する被印刷媒体に合ったプラテン２０をプラテン駆動機構１０に装着し（Ｓ２２）、プラテン２０に被印刷媒体を装着する（Ｓ２３）。そして、操作パネル４０のデータＬＥＤ４５（図３、図１２参照）が点灯し、ディスプレイ４１（図３、図１２参照）に受信データのデータ名が表示されており、印刷データの受信が完了していたら、印刷ボタン４６（図３、図１２参照）を押下する（Ｓ２４）。尚、印刷データの受信中にはデータＬＥＤ４５は点滅している。すると、インクジェット式記録装置１が印刷を行うので（Ｓ２５）、印刷が終了してプラテン２０が排出されてきたら、印刷済みの被印刷媒体をプラテン２０から取り外す（Ｓ２６）。
【００３４】
次に、図８及び図９を参照して、第１の実施の形態の使用環境設定処理について説明する。図８は、使用環境設定処理で使用される使用環境テーブル８２３ａの概念図である。図９は、第１の実施の形態での使用環境設定のフローチャートである。
【００３５】
次に、図８を参照して、使用環境テーブル８２３ａについて説明する。この使用環境テーブル８２３ａは、インクジェット式記録装置１のＲＯＭ８２の使用環境テーブル記憶エリア８２３に記憶されており、予め使用環境毎に定められた、ディスプレイ４１のバックライト４２の使用の要否、電源ＬＥＤ４３，エラーＬＥＤ４４，データＬＥＤ４５の輝度、スピーカー５２のボリューム、スピーカー５２から発生させる音の種類（サウンド）が記憶されている。
【００３６】
図８に示す例では、使用環境が「工場」の場合には、バックライト４２は使用し、ＬＥＤの輝度は２００ミリカンデラとし、スピーカー５２のボリュームは＋６ｄＢとし、サウンドは「機械音」とする。また、使用環境が「オフィス」の場合には、バックライト４２は使用し、ＬＥＤの輝度は２００ミリカンデラとし、スピーカー５２のボリュームは０ｄＢとし、サウンドは「機械音」とする。そして、使用環境が「遊園地（屋内）」の場合には、バックライト４２は使用せず、ＬＥＤの輝度は２００ミリカンデラとし、スピーカー５２のボリュームは＋１０ｄＢとし、サウンドは「子供向け」とし、使用環境が「遊園地（屋外・昼）」の場合には、バックライト４２は使用せず、ＬＥＤの輝度は１０００ミリカンデラとし、スピーカー５２のボリュームは＋２０ｄＢとし、サウンドは「子供向け」とし、使用環境が「遊園地（屋外・夜）」の場合には、バックライト４２は使用し、ＬＥＤの輝度は１００ミリカンデラとし、スピーカー５２のボリュームは＋２０ｄＢとし、サウンドは「子供向け」とする。
【００３７】
そして、使用環境が「ストリート（昼）」の場合には、バックライト４２は使用せず、ＬＥＤの輝度は１０００ミリカンデラとし、スピーカー５２のボリュームは＋４０ｄＢとし、サウンドは「一般向け」とし、使用環境が「ストリート（夜）」の場合には、バックライト４２は使用し、ＬＥＤの輝度は１００ミリカンデラとし、スピーカー５２のボリュームは＋２０ｄＢとし、サウンドは「一般向け」とする。
【００３８】
次に、図９のフローチャートを参照して、本実施の形態における使用環境の設定処理について説明する。この処理は、使用者により環境設定ボタン４８が押下されると実施される。まず、使用環境テーブル８２３ａを読み込み、使用環境を選択する画面が表示される（Ｓ１）。具体的には、図４の操作パネル４０のディスプレイ４１に示すように、「使用環境を選択して下さい」というメッセージと共に、使用環境テーブル８２３ａに「使用環境」として記憶されている「工場」、「オフィス」、「遊園地（屋内）」、「遊園地（屋外・昼）」、「遊園地（屋外・夜）」、「ストリート（昼）」、「ストリート（夜）」が表示される。ここで使用者は、左矢印ボタン５０及び右矢印ボタン５１を操作することにより、カーソルを左右に移動させて、使用環境を選択することができる。そこで、選択ボタン４９が押下されたか否かの判断が行われる（Ｓ２）。選択ボタン４９が押下されていなければ（Ｓ２：ＮＯ）、選択ボタン４９が押下されるまで繰り返し、Ｓ２の判断が行われる。そして、選択ボタン４９が押下されたら（Ｓ２：ＹＥＳ）、使用環境テーブル８２３ａから、選択された使用環境の設定が読み出される（Ｓ３）。
【００３９】
そして、Ｓ３で読み出された設定の「ディスプレイバックライト」が「使用」であれば（Ｓ４：ＹＥＳ）、バックライト４２が点灯されて、使用環境記憶エリア８３２に「使用」と設定され（Ｓ５）、「不使用」であれば（Ｓ４：ＮＯ）、バックライト４２は消灯され、使用環境記憶エリア８３２に「不使用」と設定される（Ｓ６）。そして、使用環境記憶エリア８３２に記憶されている、電源ＬＥＤ４３、エラーＬＥＤ４４、データＬＥＤ４５の輝度が、Ｓ３で読み出された設定の値に変更され（Ｓ７）、使用環境記憶エリア８３２に記憶されているスピーカー５２のボリュームがＳ３で読み出した設定の値に変更され（Ｓ８）、使用環境記憶エリア８３２に記憶されているサウンドの種類が、Ｓ３で読み出された設定の内容に変更され（Ｓ９）、処理を終了する。例えば、使用環境「遊園地（屋内）」が選択されたとすると、使用環境テーブル８２３ａから、バックライトは消灯されて、「不使用」と設定され、ＬＥＤ輝度は２００ミリカンデラと設定され、ボリュームは＋１０デシベルと設定され、サウンドは「子供向け」が設定される。
【００４０】
以上のようにして、使用者が環境設定ボタン４８を押下し、ディスプレイ４１に表示される環境設定の画面の中から環境設定を選択することにより、ディスプレイ４１のバックライト４２の使用の要否、ＬＥＤの輝度、スピーカー５２のボリューム、スピーカー５２から発生させる音の種類（サウンド）の複数の報知手段の報知様態の設定を１度に行うことができる。
【００４１】
尚、第１の実施の形態では、電源ＬＥＤ４３、エラーＬＥＤ４４、データＬＥＤ４５、ディスプレイ４１及びスピーカー５２が「報知手段」に該当し、ＬＥＤの輝度、ディスプレイのバックランプ点灯の要否、スピーカー５２のボリューム、サウンドが「報知様態」に該当する。また、Ｓ４〜Ｓ６、Ｓ７、Ｓ８、Ｓ９のそれぞれの処理を行うＣＰＵ８１が「変更手段」に相当する。また、環境設定ボタン４８が「指示入力手段」に該当し、Ｓ３〜Ｓ９の処理を行うＣＰＵ８１が「変更制御手段」に相当する。
【００４２】
尚、上記実施の形態の使用環境テーブル８２３ａは、一例に過ぎず、他の値であってもよい。また、他の使用環境を設定したりしてもよく、設定される報知様態もディスプレイ４１のバックライト４２の使用の要否、ＬＥＤの輝度、スピーカー５２のボリューム、スピーカー５２から発生させる音の種類（サウンド）に限らず、他の報知手段の報知様態を変更しても良い。例えば、印刷中に音楽を流すようにしたり、またその音楽のメロディーや曲名も報知様態として設定するようにしてもよい。
【００４３】
次に、第２の実施の形態について説明する。第２の実施の形態では、インクジェット式記録装置１の起動時及び、所定時間（例えば、１時間）経過毎に自動で、インクジェット式記録装置１の報知様態の変更（使用環境の設定）が行われる。
【００４４】
尚、第２の実施の形態のインクジェット式記録装置１の構造は、図１及び図２に示すような、第１の実施の形態のインクジェット式記録装置１の構造と同様であるので、第１の実施の形態の説明を援用して、構造の説明を省略する。
【００４５】
次に、図１０を参照して、第２の実施の形態における操作パネル４０について説明する。図１０は、第２の実施の形態での操作パネル４０の平面図である。図１０に示すように、操作パネル４０の上部には電源ＬＥＤ４３、エラーＬＥＤ４４、データＬＥＤ４５が設けられており、その下にはディスプレイ４１が設けられており、その下には、左矢印ボタン５０、選択ボタン４９、右矢印ボタン５１、マイク５３、照度センサ５４が設けられている。そして、左矢印ボタン５０の下には印刷ボタン４６、右矢印ボタン５１の下には中止ボタン４７が設けられており、その右にはスピーカー５２が設けられている。
【００４６】
第１の実施の形態と同様に、電源ＬＥＤ４３は、インクジェット式記録装置１に電源が投入されている場合には点灯し、電源が投入されていない場合には消灯している。エラーＬＥＤ４４は、インクジェット式記録装置１にエラーが発生している場合に点灯し、通常は消灯している。データＬＥＤ４５は、ＰＣから送信されたデータを受信中に点灯し、通常は消灯している。また、ディスプレイ４１にはインクジェット式記録装置１の状態を示すメッセージ（例えば「データ受信中です」、「印刷中です」、「インク切れです」など）や、使用者への指示メッセージ（「データ受信完了しました、印刷ボタンを押してください。」、「受信データ：ＰＨＯＴＯ−００２５」など）が表示される。また、印刷ボタン４６が押下されると、ＰＣから受信したデータの印刷が開始される。そして、中止ボタン４７が押下されると、印刷が中止される。また、スピーカー５２は、インクジェット式記録装置１からのメッセージやアラームブザー音等の音声が出力される。また、左矢印ボタン５０及び右矢印ボタン５１は、ディスプレイ４１に表示されれているメニューや項目を選択するためにカーソルを移動させる際に使用される。
【００４７】
また、マイク５３はインクジェット式記録装置１の周囲の騒音レベルを検出し、デジタル値にＡＤ変換するためのものであり、照度センサ５４はインクジェット式記録装置１の周囲の明るさを検出し、デジタル値にＡＤ変換するためのものである。
【００４８】
次いで、図１１及び図１３を参照して、第２の実施の形態のインクジェット式記録装置１の電気的構成について説明する。図１１は、第２の実施の形態でのインクジェット式記録装置１のブロック図である。図１２は、第２の実施の形態でのＲＯＭ８２の記憶エリアを示す概念図である。図１３は、第２の実施の形態でのＲＡＭ８３の記憶エリアを示す概念図である。
【００４９】
次に、図１１を参照してインクジェット式記録装置１の構成について説明する。図１１に示すように、インクジェット式記録装置１の制御部８０には、インクジェット式記録装置１全体の制御を司るＣＰＵ８１が設けられ、ＣＰＵ８１には、バス８６を介して、ＣＰＵ８１が実行する各種の制御プログラム等を記憶したＲＯＭ８２と、データを一時的に記憶するＲＡＭ８３とが接続されている。また、ＣＰＵ８１には、インクジェットヘッド６の各チャンネルに設けられた圧電アクチュエータを駆動させるためのヘッド駆動部８４と、キャリッジモータ７やプラテンモータ２５を駆動させるためのモータ駆動部８５とがバス８６を介して接続されている。
【００５０】
さらに、ＣＰＵ８１には、操作パネル４０に設けられているディスプレイ４１、ディスプレイ４１の背面から光を照らすバックライト４２、電源ＬＥＤ４３、エラーＬＥＤ４４、データＬＥＤ４５の表示制御を行う表示制御部８７と、印刷ボタン４６、中止ボタン４７、選択ボタン４９、左矢印ボタン５０、右矢印ボタン５１、マイク５３、照度センサ５４の入力を受け付ける入力検知部８８と、スピーカー５２の音声出力を制御する音声制御部８９と、インクジェット式記録装置１の上位装置であるＰＣ９１に接続するための通信制御部９０とがバス８６を介して接続している。
【００５１】
次に、図１２に示すように、ＲＯＭ８２には、プログラムの実行開始時に設定される初期値等が記憶された初期設定記憶エリア８２１と、インクジェット式記録装置１の制御を行う種々のプログラムが記憶されたプログラム記憶エリア８２２と、マイク５３及び照度センサ５４の検知結果に対応して各種設定値を記憶した自動設定テーブルを記憶する自動設定テーブル記憶エリア８２４とが設けられている。さらに、ＲＯＭ８２には、図示外の各種記憶エリアが設けられている。
【００５２】
次に、図１３に示すように、ＲＡＭ８３には、ＰＣ９１から受信した印刷データを記憶する印刷データ記憶エリア８３１と、現在の使用環境の各種設定値を記憶した使用環境記憶エリア８３２とが設けられている。尚、使用環境記憶エリア８３２には、本実施の形態で設定されるバックライトの有無、ＬＥＤの輝度、スピーカー５２のボリューム、スピーカー５２のサウンドの種類が記憶されている。また、ＲＡＭ８３には、図示外の各種記憶エリアが設けられている。
【００５３】
次に、図１４及び図１５を参照して、第２の実施の形態の使用環境設定処理について説明する。図１４は、自動設定テーブル８２４ａの概念図である。図１５は、第２の実施の形態での使用環境設定のフローチャートである。尚、インクジェット式記録装置１で印刷を行う手順は、図７に示すような、第１の実施の形態での印刷手順と同様であるので、第１の実施の形態の説明を援用して、印刷手順の説明を省略する。
【００５４】
まず、図１４を参照して、自動設定テーブル８２４ａについて説明する。この自動設定テーブル８２４ａは、インクジェット式記録装置１のＲＯＭ８２の自動設定テーブル記憶エリア８２４に記憶されており、照度センサ５４に検出された照度及びマイク５３により検出された騒音レベルに基づいて、ディスプレイ４１のバックライト４２の使用の要否、ＬＥＤの輝度、スピーカー５２のボリューム、スピーカー５２から発生させる音の種類（サウンド）が決められている。
【００５５】
図１４に示す例では、照度が２０００ルクス超、騒音レベルが６０ｄＢ−ＳＰＬ超である場合には、バックライト４２は使用せず、ＬＥＤ輝度は、１０００ミリカンデラとし、スピーカー５２のボリュームは＋２０ｄＢとし、サウンドは「賑やか」とし、照度が２０００ルクス超、騒音レベルが４０ｄＢ−ＳＰＬ以上６０ｃＢ−ＳＰＬ以下である場合には、バックライト４２は使用せず、ＬＥＤ輝度は、１０００ミリカンデラとし、スピーカー５２のボリュームは＋１０ｄＢとし、サウンドは「穏やか」とし、照度が２０００ルクス超、騒音レベルが４０ｄＢ−ＳＰＬ未満である場合には、バックライト４２は使用せず、ＬＥＤ輝度は、１０００ミリカンデラとし、スピーカー５２のボリュームは０ｄＢとし、サウンドは「機械音」とする。
【００５６】
そして、照度が２０ルクス以上２０００ルクス以下、騒音レベルが６０ｄＢ−ＳＰＬ超である場合には、バックライト４２は使用し、ＬＥＤ輝度は、２００ミリカンデラとし、スピーカー５２のボリュームは＋２０ｄＢとし、サウンドは「賑やか」とし、照度が２０ルクス以上２０００ルクス以下、騒音レベルが４０ｄＢ−ＳＰＬ以上６０ｃＢ−ＳＰＬ以下である場合には、バックライト４２は使用し、ＬＥＤ輝度は、２００ミリカンデラとし、スピーカー５２のボリュームは＋１０ｄＢとし、サウンドは「穏やか」とし、照度が２０ルクス以上２０００ルクス以下、騒音レベルが４０ｄＢ−ＳＰＬ未満である場合には、バックライト４２は使用し、ＬＥＤ輝度は、２００ミリカンデラとし、スピーカー５２のボリュームは０ｄＢとし、サウンドは「機械音」とする。
【００５７】
そして、照度が２０ルクス未満、騒音レベルが６０ｄＢ−ＳＰＬ超である場合には、バックライト４２は使用し、ＬＥＤ輝度は、１００ミリカンデラとし、スピーカー５２のボリュームは＋２０ｄＢとし、サウンドは「賑やか」とし、照度が２０ルクス未満、騒音レベルが４０ｄＢ−ＳＰＬ以上６０ｃＢ−ＳＰＬ以下である場合には、バックライト４２は使用し、ＬＥＤ輝度は、１００ミリカンデラとし、スピーカー５２のボリュームは＋１０ｄＢとし、サウンドは「穏やか」とし、照度が２０ルクス未満、騒音レベルが４０ｄＢ−ＳＰＬ未満である場合には、バックライト４２は使用し、ＬＥＤ輝度は、１００ミリカンデラとし、スピーカー５２のボリュームは０ｄＢとし、サウンドは「機械音」とする。
【００５８】
次に、図１５のフローチャートを参照して、本実施の形態における使用環境の設定処理について説明する。この処理は、インクジェット式記録装置１の電源が投入され、初期設定や初期動作確認の処理が終了すると開始される。まず、照度センサ５４によりインクジェット式記録装置１の周囲の照度が測定される（Ｓ５１）。次いで、マイク５３により騒音レベルが測定される（Ｓ５２）。
【００５９】
そして、自動設定テーブル８２４ａから、Ｓ５１及びＳ５２で測定された測定値に従って、自動設定テーブル８２４ａの設定が読み出される（Ｓ５３）。そして、Ｓ５３で読み出した設定の「ディスプレイバックライト」が「使用」であれば（Ｓ５４：ＹＥＳ）、バックライト４２が点灯されて、使用環境記憶エリア８３２に「使用」と設定され、（Ｓ５５）、「不使用」であれば（Ｓ５４：ＮＯ）、バックライト４２は消灯されて、使用環境記憶エリア８３２に「不使用」と設定される（Ｓ５６）。そして、使用環境記憶エリア８３２に記憶されている電源ＬＥＤ４３、エラーＬＥＤ４４、データＬＥＤ４５の輝度が、Ｓ５３で読み出した設定の値に変更され（Ｓ５７）、使用環境記憶エリア８３２に記憶されているスピーカー５２のボリュームがＳ５３で読み出された設定の値に変更され（Ｓ５８）、使用環境記憶エリア８３２に記憶されているサウンドの種類が、Ｓ５３で読み出された設定の内容に変更される（Ｓ５９）。例えば、照度が１８００ルクスであり、騒音レベルが５０ｄＢ−ＳＰＬである場合には、バックライトは点灯されて「使用」と設定されＬＥＤ輝度は２００ミリカンデラと設定され、ボリュームは＋１０と設定され、サウンドは「穏やか」と設定される。
【００６０】
次いで、次回環境設定を行うタイミングを計るために、時間カウンタがクリアされ（Ｓ６０）、時間カウンタの値により所定時間（例えば、１時間）が経過したか否かの判断が行われ（Ｓ６１）、所定時間が経過したら（Ｓ６１：ＹＥＳ）、Ｓ５１へ戻り、照度センサ５４によりインクジェット式記録装置１の周囲の照度が測定され（Ｓ５１）、マイク５３により騒音レベルが測定されて（Ｓ５２）、新たな仕様環境が設定される（Ｓ５３〜Ｓ５９）。
【００６１】
以上のようにして、インクジェット式記録装置１の起動時及び所定時間毎に、ディスプレイ４１のバックライト４２の使用の要否、ＬＥＤの輝度、スピーカー５２のボリューム、スピーカー５２から発生させる音の種類（サウンド）の複数の報知手段の報知様態の設定を自動的に一度で行うことができる。また、所定時間毎に、明るさ及び騒音レベルが測定されるので、時間の進行に伴う周囲の環境変化に対応することができる。
【００６２】
尚、本実施の形態では、照度計測手段として照度センサ５４を用いたが、明るさを計測する手段は照度センサに限らず、光の量を検知してその光の量をＡＤ変換しデジタル値化するものであれば、輝度センサ等であってもよい。
【００６３】
尚、設定を行う前に、ディスプレイ４１に「使用環境設定を行いますか？」等のメッセージを表示したり、スピーカー５２から音声メッセージを流したりして、ディスプレイ４１に「［ＹＥＳ］［ＮＯ］」の選択肢を表示して、選択ボタン４９により選択させるようにしても良い。また、設定を行う前に現在印刷中か否かを判断し、印刷中であれば印刷終了後に設定を行うように制御しても良い。
【００６４】
尚、第２の実施の形態では、電源ＬＥＤ４３、エラーＬＥＤ４４、データＬＥＤ４５、ディスプレイ４１及びスピーカー５２が「報知手段」に該当し、ＬＥＤの輝度、ディスプレイのバックランプ点灯の要否、スピーカー５２のボリューム、サウンドが「報知様態」に該当する。また、マイク５３が「音量計測手段」に該当し、照度センサ５４が「照度計測手段」に該当する。また、Ｓ５４〜Ｓ５６、Ｓ５７、Ｓ５８、Ｓ５９のそれぞれの処理を行うＣＰＵ８１が「変更手段」に相当する。また、環境設定ボタン４８が「指示入力手段」に該当し、Ｓ５３〜Ｓ５９の処理を行うＣＰＵ８１が「変更制御手段」に相当する。
【産業上の利用可能性】
【００６５】
本発明のインクジェット式記録装置は、インクジェット式記録装置の状態を使用者に報知する複数の報知手段の複数の報知様態を備えており、設置場所を移動させたり、時間とともに使用環境が変化する場所に設置されたりしているインクジェット式記録装置に適用可能である。
【図面の簡単な説明】
【００６６】
【図１】インクジェット式記録装置１の全体的な構成を示した正面図である。
【図２】インクジェット式記録装置１の全体的な構成を示した側面図である。
【図３】第１の実施の形態での操作パネル４０の平面図である。
【図４】第１の実施の形態でのインクジェット式記録装置１のブロック図である。
【図５】ＲＯＭ８２の記憶エリアを示す概念図である。
【図６】第１の実施の形態でのＲＡＭ８３の記憶エリアを示す概念図である。
【図７】印刷手順のフローチャートである。
【図８】第１の実施の形態での使用環境テーブル８２３ａの概念図である。
【図９】第１の実施の形態での使用環境設定のフローチャートである。
【図１０】第２の実施の形態での操作パネル４０の平面図である。
【図１１】第２の実施の形態でのインクジェット式記録装置１のブロック図である。
【図１２】第２の実施の形態でのＲＯＭ８２の記憶エリアを示す概念図である。
【図１３】第２の実施の形態でのＲＡＭ８３の記憶エリアを示す概念図である。
【図１４】自動設定テーブル８２４ａの概念図である。
【図１５】第２の実施の形態での使用環境設定のフローチャートである。
【符号の説明】
【００６７】
１  インクジェット式記装置
４０  操作パネル
４１  ディスプレイ
４２  バックライト
４３  電源ＬＥＤ
４４  エラーＬＥＤ
４５  データＬＥＤ
４６  印刷ボタン
４７  中止ボタン
４８  環境設定ボタン
４９  選択ボタン
５０  左矢印ボタン
５１  右矢印ボタン
５２  スピーカー
５３  マイク
５４  照度センサ
８０  制御部
８１  ＣＰＵ
８７  表示制御部
８８  入力検知部
８９  音声制御部
９０  通信制御部
８２３  使用環境テーブル記憶エリア
８２３ａ  使用環境テーブル
８２４  自動設定テーブル記憶エリア
８２４ａ  自動設定テーブル
８３２  使用環境記憶エリア
【図１】
2005103940.tif 000003
【図２】
2005103940.tif 000004
【図３】
2005103940.tif 000005
【図４】
2005103940.tif 000006
【図５】
2005103940.tif 000007
【図６】
2005103940.tif 000008
【図７】
2005103940.tif 000009
【図８】
2005103940.tif 000010
【図９】
2005103940.tif 000011
【図１０】
2005103940.tif 000012
【図１１】
2005103940.tif 000013
【図１２】
2005103940.tif 000014
【図１３】
2005103940.tif 000015
【図１４】
2005103940.tif 000016
【図１５】
2005103940.tif 000017